(57)【要約】【課題】日常生活において種々の小物、特に眼鏡、を布片にて拭うに当って、布片が手から滑り落ちないようにすることにより拭い作業をより容易に且つ失敗なく行うことができるようにする。【解決手段】小物拭いシートを布材とその片方の面に装着された軟質樹脂の層とを有するものとする。軟質樹脂の層はその表面の少なくとも一部に一群の突起を形成されていてよく、また軟質樹脂の層は布材上に模様を形成するよう模様をなす部分にのみ設けられてもよい。【選択図】　　図１
2004008403.tif 000002
【特許請求の範囲】
【請求項１】
布材とその片方の面に装着された軟質樹脂の層とを有することを特徴とする小物拭いシート。
【請求項２】
前記軟質樹脂層はその表面の少なくとも一部に一群の突起を形成されていることを特徴とする請求項１に記載の小物拭いシート。
【請求項３】
前記一群の突起により装飾模様が形成されていることを特徴とする請求項２に記載の小物拭いシート。
【請求項４】
前記軟質樹脂層は前記布材上に模様を形成するよう模様をなす部分にのみ設けられていること特徴とする請求項１に記載の小物拭いシート。
【発明の詳細な説明】
【０００１】
【発明の属する技術分野】
本発明は、眼鏡、カメラ、携帯電話、その他の小物を清掃のために拭うシートに係る。
【０００２】
【従来の技術】
眼鏡、カメラのレンズ、携帯電話のウインドウ等の透視部品はガラスまたはプラスチックより作られているが、ガラスやプラスチックの如き絶縁材の表面は静電気により埃が付着しやすいので、随時清掃を要する。特に眼鏡はあらゆる環境にてしかも多くの場合終日使用され、機能的にもまた気分の上でも、埃の付着が最も嫌われる物品である。
【０００３】
従来、これらの小物物品の清掃は、通常十数センチ角の布片を指先で押さえてレンズや透視窓を拭うことにより行われている。
【０００４】
【発明が解決しようとする課題】
上記の如き透視部品の清掃には、擦過傷を生じないよう柔らかで表面が滑らかな布材が用いられているが、そのような布材が十数センチ角の大きさの布片であると、これを指先に支えて拭い作業を行なうとき、布片は得てして指先から滑って落下し、場所が悪ければ落ちたとき布片は汚染される。また布片が指先を外れた瞬間に指先がレンズや窓板に直に触れると、そこに指先の指紋が付いてしまうとういう不都合が生ずる。しかしまた、布片が大きいと作業はやりにくく、特に眼鏡の場合にはつるにひっかかってレンズを拭う操作が邪魔されがちとなる。
【０００５】
いずれにしても、従来の布片による小物の清掃は、手先の器用さを要するかなり厄介な作業であり、落ち着いて行える時と場所が必要である。しかし特に近視鏡の場合、常時着装され、生活環境によっては悠長な清掃が許されない場合もあり、またそれを清掃のため外している間は手元の視野が不確かになり、布片を指先から滑らせる可能性も高い。
【０００６】
本発明は、日常生活において種々の小物を布片にて拭う作業に於ける上記の問題に鑑み、それをより容易に且つ失敗なく行うことができる手段を提供すること課題としている。
【０００７】
【課題を解決するための手段】
上記の課題を解決するものとして、本発明は、布材とその片方の面に装着された軟質樹脂の層とを有することを特徴とする小物拭いシートを提供するものである。
【０００８】
前記軟質樹脂の層はその表面の少なくとも一部に一群の突起を形成されていてよい。また前記一群の突起は装飾模様を形成するように設けられていてよい。尚、ここで模様とは、その趣旨に鑑み、文字その他任意の形状を含むものである。
【０００９】
或いはまた、前記軟質樹脂の層は前記布材上に模様を形成するよう模様をなす部分にのみ設けられていてもよい。
【００１０】
布材はナイロンとポリエステルの混紡材よりなっていてよく、また軟質樹脂層はアクリルプラスチックを主成分とするものであってよい。
【００１１】
【発明の作用及び効果】
上記の如く小物拭いシートが布材とその片方の面に装着された軟質樹脂の層とを有するように構成されていれば、清掃される小物物品の表面を傷つけないようそれに接する布材が滑らかな布材とされても、指先に接する側は、軟質樹脂の層による柔らかで高い変形性と高い摩擦係数により、指先にしっとりと張り付くようになる。かくしてシートは、その寸法が小さいものであっても、指先より滑って外れることは無くなり、布片にて小物を拭う作業が格段に容易となり、また拭い効果もそれに応じて高まる。
【００１２】
更に、軟質樹脂の層がその表面の少なくとも一部に一群の突起を形成されていれば、軟質樹脂層と指先の間の滑りのない親和性は一層高まる。
【００１３】
また軟質樹脂層またはそこに設けられた一群の突起により装飾模様が形成されれば、小物拭いシートを手に取ることに快適性が生じ、使用者によるその使用頻度も増し、その実用性が高まる。また、軟質樹脂の層は布材上に模様を形成するよう模様をなす部分にのみ設けられていれば、布材と軟質樹脂の色を互いに異ならせることによりカラーコントラストに優れた小物拭いシートを容易に得ることができる。
【００１４】
【発明の実施の形態】
添付の図１は、本発明による小物拭いシートの一つの実施例を示す平面図である。図は該シート１を軟質樹脂層２の側から見たものであり、小物を拭うに当って小物に接する側であって滑らかな布材よりなる層３は、軟質樹脂層２の裏側にあって図では見えていない。この実施例では、正方形の輪郭をなす小物拭いシート１の軟質樹脂層２には、その全面にわたって縦横方向に等間隔に隔置された突起４が形成されている。
【００１５】
軟質樹脂層２を形成する樹脂は、一例としてアクリルプラスチック９６％、ＢＢＰ３％、抗菌素材１％よりなるものであってよい。また布材３は、一例としてナイロン２０％とポリエステル８０％の混紡よりなっていてよい。かかる布材と軟質樹脂層の重合体は、布材の上に軟質樹脂のシートを重ね合わせ、突起４を形成する窪みを設けられた型盤上に軟質樹脂シートの側を当て、布材の側から押圧板を押し当て、重合体を適度に加熱しつつ圧縮することにより得られる。
【００１６】
布材および軟質樹脂層の厚みは、小物拭いシートの用途とそれに対する需要者の好みに応じて種々に定められてよいが、例えば眼鏡拭いシートとしては、それぞれの厚みが０．３ｍｍ程度の薄手のものであってよく、また突起の高さは０．２ｍｍ程度であってよい。
【００１７】
図２は、本発明による小物拭いシートの他の一つの実施例を示す平面図である。図は該シート１１を軟質樹脂の層１２の側から見たものである。この実施例に於いては、軟質樹脂層１２は朝顔型の模様をなす部分においてのみ正方形輪郭の布材１３上に設けられている。朝顔型の模様をなす軟質樹脂層１２には、その模様部全体にわたって縦横に規則的に配列された突起１４が設けられている。
【００１８】
かかる実施例の於いても、布材および軟質樹脂層の厚みは、小物拭いシートの用途とそれに対する需要者の好みに応じて種々に定められてよく、例えば眼鏡拭いシートとしては、布材の厚みは０．５ｍｍ程度とされ、また軟質樹脂層は地の部分が０．１ｍｍで突起の高さが０．２ｍｍ程度とされてよい。また軟質樹脂層１２と布材１３の色はカラーコントラストをなすよう互いに異なるものとされてよい。
【００１９】
以上に於いては本発明を二つの実施例について詳細に説明したが、これらの実施例について本発明の範囲内にて種々の修正が可能であることは当業者にとって明らかであろう。
【図面の簡単な説明】
【図１】本発明による小物拭いシートの一つの実施例を示す平面図。
【図２】本発明による小物拭いシートの他の一つの実施例を示す平面図。
【符号の説明】
１、１１…小物拭いシート
２、１２…軟質樹脂層
３、１３…布材
４、１４…突起
【図１】
2004008403.tif 000003
【図２】
2004008403.tif 000004